(57)【要約】基地局によって形成されるモバイル通信エリア内において、通信端末が無線ＬＡＮ通信エリアをまたいで移動する場合においても、ＭＥＣを活用したサービスをシームレスに提供することができる通信システムを提供することを目的とする。本発明にかかる通信システムは、モバイル通信エリアを形成する基地局（１０）と、無線ＬＡＮ通信エリアを形成するアクセスポイント（２０）と、アクセスポイントを管理するアクセスポイント管理装置（３０）と、モバイル通信エリアに位置する通信端末（５０）に対して、アプリケーションサービスを提供するアプリケーションサーバ（４０）と、を備える。通信端末（５０）が、モバイル通信エリア内において無線ＬＡＮ通信エリア内へ移動した場合、アクセスポイント管理装置（３０）は、基地局（１０）との間にデータ伝送経路を設定し、基地局（１０）と通信端末（５０）との間のデータ伝送を中継する。
2016147628.tif 000002
【特許請求の範囲】
【請求項１】
モバイル通信エリアを形成する基地局と、
モバイル通信エリア内に、無線ＬＡＮ通信エリアを形成するアクセスポイントと、
複数の前記アクセスポイントを管理するアクセスポイント管理装置と、
前記モバイル通信エリアに位置する通信端末に対して、前記基地局を介してアプリケーションサービスを提供するアプリケーションサーバと、を備え、
前記通信端末が、前記モバイル通信エリア内において前記無線ＬＡＮ通信エリア外から前記無線ＬＡＮ通信エリア内へ移動した場合、
前記アクセスポイント管理装置は、
前記基地局との間にデータ伝送経路を設定し、前記基地局と前記通信端末との間のデータ伝送を中継する、通信システム。
【請求項２】
前記基地局は、
前記通信端末が、前記モバイル通信エリア内において前記無線ＬＡＮ通信エリア外から前記無線ＬＡＮ通信エリア内へ移動した場合、前記通信端末が自装置と通信していたことを示す識別情報を前記アクセスポイント管理装置へ送信する、請求項１に記載の通信システム。
【請求項３】
前記基地局は、
前記通信端末が、前記モバイル通信エリア内において前記無線ＬＡＮ通信エリア外から前記無線ＬＡＮ通信エリア内へ移動した場合、前記通信端末へ、アクセスポイントへハンドオーバすることを指示するメッセージを送信する、請求項１又は２に記載の通信システム。
【請求項４】
前記基地局は、
前記通信端末が、前記モバイル通信エリア内において前記無線ＬＡＮ通信エリア外から前記無線ＬＡＮ通信エリア内へ移動した場合、前記通信端末を宛先とするデータを前記アクセスポイント管理装置へ送信する、請求項１乃至３のいずれか１項に記載の通信システム。
【請求項５】
前記基地局は、
前記通信端末が、前記モバイル通信エリア内において前記無線ＬＡＮ通信エリア内から前記無線ＬＡＮ通信エリア外へ移動した場合、前記通信端末と無線回線を設定して前記通信端末と通信する、請求項１乃至４のいずれか１項に記載の通信システム。
【請求項６】
前記基地局は、
前記通信端末が、前記モバイル通信エリア内において前記無線ＬＡＮ通信エリア内から前記無線ＬＡＮ通信エリア外へ移動した場合、前記アクセスポイント管理装置へ、前記通信端末と前記アクセスポイント管理装置との間の無線回線を解放することを指示するメッセージを送信する、請求項５に記載の通信システム。
【請求項７】
自装置が形成するモバイル通信エリア内において、アクセスポイントによって無線ＬＡＮ通信エリアが形成され、自装置を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、
前記アクセスポイントを管理するアクセスポイント管理装置との間にデータ伝送経路を設定する通信手段と、
前記アプリケーションサービスに関連するデータを設定された前記データ伝送経路を介して前記通信端末へ送信するように制御する処理手段と、を備える基地局。
【請求項８】
基地局が形成するモバイル通信エリア内において、アクセスポイントによって無線ＬＡＮ通信エリアが形成され、前記基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、
前記基地局との間にデータ伝送経路を設定する通信手段と、
前記データ伝送経路を用いて、前記通信端末と前記基地局との間において伝送される前記アプリケーションサービスに関連するデータを中継する処理手段と、を備えるアクセスポイント管理装置。
【請求項９】
基地局が形成するモバイル通信エリア内において、アクセスポイントが形成する無線ＬＡＮ通信エリア外から前記無線ＬＡＮ通信エリア内へ移動した場合、アプリケーションサーバが提供するアプリケーションサービスを、前記基地局と前記アクセスポイントを管理するアクセスポイント管理装置との間に設定されたデータ伝送経路を介して前記アクセスポイント管理装置から受ける無線ＬＡＮ通信手段を備える、端末。
【請求項１０】
基地局が形成するモバイル通信エリア内において、アクセスポイントによって無線ＬＡＮ通信エリアが形成され、基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、
前記アクセスポイントを管理するアクセスポイント管理装置との間にデータ伝送経路を設定し、
前記アプリケーションサービスに関連するデータを、設定された前記データ伝送経路を介して前記通信端末へ送信する、基地局における通信方法。
【請求項１１】
基地局が形成するモバイル通信エリア内において、アクセスポイントによって無線ＬＡＮ通信エリアが形成され、前記基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、
前記基地局との間にデータ伝送経路を設定し、
前記データ伝送経路を用いて、前記通信端末と前記基地局との間において伝送される前記アプリケーションサービスに関連するデータを中継する、アクセスポイントにおける中継方法。
【請求項１２】
基地局が形成するモバイル通信エリア内において、アクセスポイントによって無線ＬＡＮ通信エリアが形成され、基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、
前記アクセスポイントを管理するアクセスポイント管理装置との間にデータ伝送経路を設定し、
前記アプリケーションサービスに関連するデータを、設定された前記データ伝送経路を介して前記通信端末へ送信することをコンピュータに実行させるプログラムが格納された非一時的なコンピュータ可読媒体。
【請求項１３】
基地局が形成するモバイル通信エリア内において、アクセスポイントによって無線ＬＡＮ通信エリアが形成され、前記基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、
前記基地局との間にデータ伝送経路を設定し、
前記データ伝送経路を用いて、前記通信端末と前記基地局との間において伝送される前記アプリケーションサービスに関連するデータを中継することをコンピュータに実行させるプログラムが格納された非一時的なコンピュータ可読媒体。
【発明の詳細な説明】
【技術分野】
【０００１】
本発明は通信システム、基地局、アクセスポイント管理装置、端末、通信方法、中継方法及びプログラムに関し、特に無線ＬＡＮ通信を行う通信システム、基地局、アクセスポイント管理装置、端末、通信方法、中継方法及びプログラムに関する。
【背景技術】
【０００２】
近年、スマートフォンが急速に普及し、スマートフォンを保持するユーザは、いわゆるインターネットへアクセスする機会が増加し、スマートフォンを介して様々なサービスを受けている。また、将来的に、スマートフォン等を保持するユーザに対して、現在よりも低遅延及び広帯域のサービスを提供することが検討されている。低遅延及び広帯域のサービスを提供するにあたり、非特許文献１にＭＥＣ（Mobile Edge Computing）を用いた通信システムが記載されている。【０００３】
ＭＥＣは、モバイル加入者に近いＲＡＮ（Radio Access Network）近傍にＣｌｏｕｄコンピューティングリソースを配備して、アプリケーションサービス等を提供する装置である。モバイル加入者は、移動通信事業者と契約して、モバイルネットワークを介して携帯電話端末もしくはスマートフォン等を使用することができる加入者である。アプリケーションサービスを提供するＭＥＣが、モバイル加入者に近い位置に配備されることによって、低遅延なデータ伝送を実現することができる。【０００４】
また、近年のスマートフォンの急速な普及によって、モバイルネットワークにおけるデータの激増も問題となっている。そのため、移動通信事業者は、無線ＬＡＮ通信エリアを構築し、モバイルネットワークのトラヒックを無線ＬＡＮ（Local Area Network）システムにオフロードさせることによって、モバイルネットワーク内において通信されるデータを減少させている。無線ＬＡＮシステムへのオフロードを増加させるために、無線ＬＡＮ通信エリアが増加することによって、スマートフォン等を保持するユーザが、無線ＬＡＮシステムへアクセスする機会も増加している。【０００５】
そのため、今後、モバイルネットワークの移動通信事業者が管理する基地局によって形成されるモバイル通信エリア内に、無線ＬＡＮ通信エリアが点在するようになることが想定される。また、モバイル加入者にモバイル通信エリアと無線ＬＡＮ通信エリアとの間のシームレスなハンドオーバを提供するため、無線ＬＡＮシステムのトラヒックをコアネットワークに収容する機会も増えると想定される。【０００６】
特許文献１には、無線ＬＡＮ網と、携帯電話網であるＰＳ（Packet Switch）網との間におけるハンドオーバ動作を、ＩＭＳ（Internet Protocol Multimedia Subsystem）を用いて行うことが記載されている。【０００７】
また、特許文献２及び特許文献３には、携帯電話が、無線ＬＡＮ網及び携帯電話網のいずれからも携帯電話キャリアネットワークに接続する通信システムの構成が記載されている。
【先行技術文献】
【特許文献】
【０００８】
【特許文献１】特開２００７−３２５１９１号公報
【特許文献２】特開２０１５−２３３０３号公報
【特許文献３】特表２０１５−５０４２６７号公報
【非特許文献】
【０００９】
【非特許文献１】Mobile-Edge Computing-Introductory Technical White Paper September 2014
【発明の概要】
【発明が解決しようとする課題】
【００１０】
ＭＥＣは、基本的に基地局の近傍に配備される。そのため、通信端末が通信を行う基地局の近傍にＭＥＣが配備されている場合、通信端末は、ＭＥＣが提供するサービスを受けることができる。しかし、通信端末が、モバイル通信エリア内を移動し、モバイル通信エリア内に点在する無線ＬＡＮ通信エリア内に移動することがある。このように通信端末が無線ＬＡＮ通信エリア内へ移動した場合、通信端末に関するトラヒックは、モバイルネットワークから無線ＬＡＮシステムへオフロードされることとなる。無線ＬＡＮシステムへオフロードされたトラヒックは、モバイルネットワークの基地局を介すことができないため、通信端末は、基地局近傍のＭＥＣを活用したサービスをシームレスに受け続けることができないという問題がある。【００１１】
また、特許文献１においては、携帯電話網であるＰＳ網と無線ＬＡＮ網とが、ＩＭＳを介して接続されており、特許文献２及び特許文献３においても、無線ＬＡＮ網と携帯電話網とが携帯電話キャリアネットワークもしくはコアネットワークを介して接続されている。そのため、特許文献１〜３においては、無線ＬＡＮ網へ移動した携帯端末は、携帯電話網に配置されている基地局と通信を行うことができなくなる。これより、携帯端末を含む通信端末が、携帯電話網の基地局を介して、その近傍に配備されているサーバ等から、例えば、低遅延なサービスや、その基地局に限定されたサービスなどを受けている場合に、特許文献１〜３に開示されている移動体通信システムでは、通信端末が、そのサービスを受け続けることができないという問題がある。【００１２】
上述したように、この問題はＭＥＣに限らず、モバイルネットワークにおいて提供されていたサービスについて発生する。【００１３】
本発明の目的は、モバイル通信エリア内に、無線ＬＡＮ通信エリアが点在する環境において、通信端末がモバイル通信エリア内において無線ＬＡＮ通信システムに接続した場合であっても、モバイルネットワーク内において提供されていたサービスを受け続けることができる通信システム、基地局、アクセスポイント管理装置、端末、通信方法、中継方法及びプログラムを提供することにある
【課題を解決するための手段】
【００１４】
本発明の第１の態様にかかる通信システムは、モバイル通信エリアを形成する基地局と、モバイル通信エリア内に、無線ＬＡＮ通信エリアを形成するアクセスポイントと、複数の前記アクセスポイントを管理するアクセスポイント管理装置と、前記モバイル通信エリアに位置する通信端末に対して、前記基地局を介してアプリケーションサービスを提供するアプリケーションサーバと、を備え、前記通信端末が、前記モバイル通信エリア内において前記無線ＬＡＮ通信エリア外から前記無線ＬＡＮ通信エリア内へ移動した場合、前記アクセスポイント管理装置は、前記基地局との間にデータ伝送経路を設定し、前記基地局と前記通信端末との間のデータ伝送を中継するものである。【００１５】
本発明の第２の態様にかかる基地局は、自装置が形成するモバイル通信エリア内において、アクセスポイントによって無線ＬＡＮ通信エリアが形成され、自装置を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、前記アクセスポイントを管理するアクセスポイント管理装置との間にデータ伝送経路を設定する通信部と、前記アプリケーションサービスに関連するデータを設定された前記データ伝送経路を介して前記通信端末へ送信するように制御する処理部と、を備えるものである。【００１６】
本発明の第３の態様にかかるアクセスポイント管理装置は、基地局が形成するモバイル通信エリア内において、アクセスポイントによって無線ＬＡＮ通信エリアが形成され、前記基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、前記基地局との間にデータ伝送経路を設定する通信部と、前記データ伝送経路を用いて、前記通信端末と前記基地局との間において伝送される前記アプリケーションサービスに関連するデータを中継する処理部と、を備えるものである。【００１７】
本発明の第４の態様にかかる端末は、基地局が形成するモバイル通信エリア内において、アクセスポイントが形成する無線ＬＡＮ通信エリア外から前記無線ＬＡＮ通信エリア内へ移動した場合、アプリケーションサーバが提供するアプリケーションサービスを、前記基地局と前記アクセスポイントを管理するアクセスポイント管理装置との間に設定されたデータ伝送経路を介して前記アクセスポイント管理装置から受ける無線ＬＡＮ通信部を備えるものである。【００１８】
本発明の第５の態様にかかる通信方法は、基地局が形成するモバイル通信エリア内において、アクセスポイントによって無線ＬＡＮ通信エリアが形成され、基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、前記アクセスポイントを管理するアクセスポイント管理装置との間にデータ伝送経路を設定し、前記アプリケーションサービスに関連するデータを、設定された前記データ伝送経路を介して前記通信端末へ送信するものである。【００１９】
本発明の第６の態様にかかる中継方法は、基地局が形成するモバイル通信エリア内において、アクセスポイントによって無線ＬＡＮ通信エリアが形成され、前記基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、前記基地局との間にデータ伝送経路を設定し、前記データ伝送経路を用いて、前記通信端末と前記基地局との間において伝送される前記アプリケーションサービスに関連するデータを中継するものである。【００２０】
本発明の第７の態様にかかるプログラムは、基地局が形成するモバイル通信エリア内において、アクセスポイントによって無線ＬＡＮ通信エリアが形成され、基地局を介してアプリケーションサーバからアプリケーションサービスを提供されている通信端末が前記モバイル通信エリア内において前記無線ＬＡＮ通信エリア外から前記無線ＬＡＮ通信エリア内へ移動した場合、前記アクセスポイントを管理するアクセスポイント管理装置との間にデータ伝送経路を設定し、前記アプリケーションサービスに関連するデータを、設定された前記データ伝送経路を介して前記通信端末へ送信することをコンピュータに実行させるものである。
【発明の効果】
【００２１】
本発明により、モバイル通信エリア内に、無線ＬＡＮ通信エリアが点在する環境において、通信端末がモバイル通信エリア内において無線ＬＡＮ通信システムに接続した場合であっても、モバイルネットワーク内において提供されていたサービスを受け続けることができる通信システム、基地局、アクセスポイント管理装置、端末、通信方法、中継方法及びプログラムを提供することができる。
【図面の簡単な説明】
【００２２】
【図１】実施の形態１にかかる通信システムの構成図である。
【図２】実施の形態２にかかる通信システムの構成図である。
【図３】実施の形態２にかかるｅＮＢの構成図である。
【図４】実施の形態２にかかるＵＥの構成図である。
【図５】実施の形態２にかかるＴＷＡＮ構成装置の構成図である。
【図６】実施の形態２にかかるＵＥのハンドオーバ処理の流れを示す図である。
【図７】実施の形態２にかかるＵＥのハンドオーバ処理の流れを示す図である。
【図８】実施の形態３にかかるＵＥのハンドオーバ処理の流れを示す図である。
【図９】実施の形態４にかかるＵＥのハンドオーバ処理の流れを示す図である。
【図１０】実施の形態５にかかるＵＥのハンドオーバ処理の流れを示す図である。
【図１１】実施の形態５にかかるＵＥのハンドオーバ処理の流れを示す図である。
【図１２】実施の形態１にかかる通信システムの構成図である。
【発明を実施するための形態】
【００２３】
（実施の形態１）
以下、図面を参照して本発明の実施の形態について説明する。はじめに、図１を用いて本発明の実施の形態１にかかる通信システムの構成例について説明する。図１の通信システムは、基地局１０、アクセスポイント２０、アクセスポイント管理装置３０、アプリケーションサーバ４０及び通信端末５０を有している。
【００２４】
基地局１０は、モバイル通信エリアを形成する。モバイル通信エリアは、セルもしくはセクタによって構成される通信エリアである。基地局１０が形成するモバイル通信エリアに位置する通信端末５０は、例えば、３ＧＰＰ（3rd Generation Partnership Project）において規定された無線通信規格であるＬＴＥ（Long Term Evolution）を用いて基地局１０と通信を行ってもよい。
【００２５】
アクセスポイント２０は、モバイル通信エリア内に無線ＬＡＮ通信エリアを形成する。無線ＬＡＮ通信エリアに位置する通信端末５０は、ＩＥＥＥ（The Institute of Electrical and Electronics Engineers）８０２等において定められた無線通信規格である無線ＬＡＮ通信を用いてアクセスポイント２０と通信を行う。無線ＬＡＮ通信エリアは、モバイル通信エリア内の一部のエリアと重複するように形成される。図１においては、モバイル通信エリア内に一つの無線ＬＡＮ通信エリアが形成されていることを示しているが、モバイル通信エリア内に複数の無線ＬＡＮ通信エリアが形成されてもよい。
【００２６】
アクセスポイント管理装置３０は、複数のアクセスポイント２０を管理する。言い換えると、アクセスポイント管理装置３０は、複数のアクセスポイント２０を集約する。アクセスポイント管理装置３０は、アクセスポイント２０が形成する無線ＬＡＮ通信エリア内に位置する通信端末５０の認証処理等を行ってもよい。
【００２７】
アプリケーションサーバ４０は、基地局１０が形成するモバイル通信エリアに位置する通信端末５０に対して、基地局１０を介してアプリケーションサービスを提供する。例えば、アプリケーションサーバ４０は、動画配信サービス等を通信端末５０へ提供してもよい。
【００２８】
通信端末５０は、携帯電話端末、スマートフォンもしくは通信機能を有するコンピュータ装置等であってもよい。通信端末５０は、基地局１０及びアクセスポイント２０と無線通信を行う機能を有する。
【００２９】
ここで、通信端末５０が、モバイル通信エリア内において、無線ＬＡＮ通信エリア外から無線ＬＡＮ通信エリア内へ移動した場合の動作について説明する。この場合、アクセスポイント管理装置３０は、基地局１０との間にデータ伝送経路を設定する。アクセスポイント管理装置３０と基地局１０との間にデータ伝送経路が設定されることによって、基地局１０は、通信端末５０を宛先とするデータをアクセスポイント管理装置３０へ送信する。また、アクセスポイント管理装置３０は、アクセスポイント２０を介して通信端末５０から送信されたデータを基地局１０へ送信する。つまり、アクセスポイント管理装置３０は、基地局１０とアクセスポイント２０との間のデータ伝送を中継することになる。
【００３０】
以上説明したように、図１の通信システムを用いることによって、通信端末５０が、モバイル通信エリア内において、無線ＬＡＮ通信エリア外から無線ＬＡＮ通信エリア内へ移動した場合であっても、通信端末５０は、アクセスポイント２０及びアクセスポイント管理装置３０を介して基地局１０と通信を行うことができる。これより、通信端末５０は、モバイル通信エリア内であって、無線ＬＡＮ通信エリア外においてアプリケーションサーバ４０を活用したサービスを受けている状態において、無線ＬＡＮ通信エリア内へ移動した場合であっても、アプリケーションサーバ４０を活用したサービスを受け続けることができる。
【００３１】
次に、図１２を用いて本発明の実施の形態１にかかる通信システムの構成例について、さらに説明を追加する。図１２の通信システムは、さらにサービスネットワーク４５を有している。また、アクセスポイント２０は、無線ＬＡＮ用のアクセスポイント（Access Point：AP）である。例えば、アプリケアプリケーションサーバ４０は、動画配信サービス等を通信端末５０へ提供してもよい。アプリケアプリケーションサーバ４０は、ＭＥＣのサーバととらえることもできる。一方、サービスネットワーク４５は、通信端末５０が、モバイル通信エリア及び無線ＬＡＮ通信エリアからアクセスすることができるネットワークである。サービスネットワーク４５は、例えば、ＰＤＮ（Packet Data Network）もしくはインターネット等であってもよい。
【００３２】
ここで、通信端末５０が、モバイル通信エリア内において、無線ＬＡＮ通信エリア外から無線ＬＡＮ通信エリア内へ移動した場合の動作について説明する。この場合、アクセスポイント管理装置３０は、基地局１０との間にデータ伝送経路３０−Ｐを設定する。アクセスポイント管理装置３０と基地局１０との間にデータ伝送経路３０−Ｐが設定されることによって、基地局１０は、通信端末５０を宛先とするデータをアクセスポイント管理装置３０へ送信する。なお、データ伝送経路３０−Ｐは、論理的な接続であってもよいし、物理的な接続であってもよいし、無線による接続であってもよい。データ伝送経路３０−Ｐに３ＧＰＰ規格で規定される基地局間インタフェースであるＸ２インタフェースを適用することもできる。また、アクセスポイント管理装置３０は、アクセスポイント２０を介して通信端末５０から送信されたデータを基地局１０へ送信する。アクセスポイント管理装置３０は、基地局１０を介してアプリケーションサーバ４０と通信を行う。つまり、アプリケーションサーバ４０は、基地局１０、アクセスポイント管理装置３０及びアクセスポイント２０を介して通信端末５０へアプリケーションサービスを提供する。
【００３３】
以上説明したように、アクセスポイント管理装置３０は、通信端末５０が通信していた基地局１０との間にデータ伝送経路３０−Ｐを設定することができる。そのため、通信端末５０は、モバイル通信エリア内において、無線ＬＡＮ通信エリア外から無線ＬＡＮ通信エリア内へ移動した場合であっても、アクセスポイント２０及びアクセスポイント管理装置３０を介して基地局１０と通信を行うことができる。これより、通信端末５０は、モバイル通信エリア内であって、無線ＬＡＮ通信エリア外においてアプリケーションサーバ４０を活用したサービスを受けている状態において、無線ＬＡＮ通信エリア内へ移動した場合であっても、アプリケーションサーバ４０を活用したアプリケーションサービスを受け続けることができる。
【００３４】
（実施の形態２）
続いて、図２を用いて本発明の実施の形態２にかかる通信システムの構成例について説明する。図２の通信システムは、３ＧＰＰにおいて動作が規定されているノード装置によって構成されている。図２の通信システムは、ｅＮＢ（evolved NodeB）６０、ＡＰ（Access Point）７１〜７３、ＴＷＡＮ（Trusted Wireless Access Network）構成装置８０、ＭＥＣ９０、ＳＧＷ（Serving Gateway）１００、ＰＧＷ（Packet Data Network Gateway）１１０、ＭＭＥ（Mobility Management Entity）１２０、ＨＳＳ（Home Subscriber Server）１３０、ＰＣＲＦ（Policy and Charging Rules Function）１４０、ＡＡＡ（Authentication Authorization Accounting）１５０、ＵＥ（User Equipment）１６０及びＰＤＮ（Packet Data Network）１７０を有している。
【００３５】
ｅＮＢ６０は、図１の基地局１０に相当する。ＡＰ７１〜７３は、図１のアクセスポイント２０に相当する。ＴＷＡＮ構成装置８０は、図１のアクセスポイント管理装置３０に相当する。ＭＥＣ９０は、図１のアプリケーションサーバ４０に相当する。ＵＥ１６０は、図１の通信端末５０に相当する。
【００３６】
ｅＮＢ６０は、無線通信方式として、３ＧＰＰにおいて定められたＬＴＥを用いることができる基地局である。ＭＭＥ１２０は、ｅＮＢ６０が形成するモバイル通信エリア内に位置するＵＥ１６０に関する呼処理制御を行う。呼処理制御において伝送される制御メッセージは、Ｃ−Ｐｌａｎｅ（Control Plane）データと称されてもよい。ＳＧＷ１００及びＰＧＷ１１０は、ＵＥ１６０に関するユーザデータを伝送する装置である。ユーザデータは、Ｕ−Ｐｌａｎｅ（User Plane）データと称されてもよい。
【００３７】
ＨＳＳ１３０は、移動通信事業者と契約する加入者に関する加入者データを保持するサーバ装置である。ＰＣＲＦ１４０は、モバイルネットワークにおける課金もしくはＱｏＳに関するポリシー等を制御する装置である。ＰＤＮ１７０は、移動通信事業者が管理するモバイルネットワークとは異なるネットワークである。ＰＤＮ１７０は、他の通信事業者が管理するネットワークであってもよく、いわゆるインターネットであってもよい。
【００３８】
ＴＷＡＮ構成装置８０は、複数のＡＰ（ＡＰ７１〜７３）を管理する装置である。例えば、ＴＷＡＮ構成装置８０は、ＡＡＡ１５０を用いて、ＡＰ７１〜７３が形成する無線ＬＡＮ通信エリア内に位置するＵＥ１６０の認証処理等を行う。また、ＴＷＡＮ構成装置８０は、ＡＰ７１〜７３が形成する無線ＬＡＮ通信エリア内に位置するＵＥ１６０とｅＮＢ６０との間において伝送されるユーザデータを中継する。
【００３９】
また、ＴＷＡＮ構成装置８０は、ＵＥ１６０がＡＰ７１〜７３が形成する無線ＬＡＮ通信エリア内に移動してきた場合、ＵＥ１６０が通信を行っていたｅＮＢ６０との間にデータ伝送経路８０−Ｐを設定する。
【００４０】
ＵＥ１６０は、３ＧＰＰにおいて用いられる、携帯電話端末、スマートフォン等の移動通信端末の総称である。
【００４１】
図２においては、ｅＮＢ６０が形成するモバイル通信エリア内に、ＡＰ７１、ＡＰ７２及びＡＰ７３が形成する無線ＬＡＮ通信エリアが含まれていることを示している。したがって、ＵＥ１６０が、モバイル通信エリア内を移動すると、無線ＬＡＮ通信エリアを通過するように移動することもある。言い換えると、ＵＥ１６０は、モバイル通信エリア内を移動すると、無線ＬＡＮ通信エリアをまたがるように移動することもある。
【００４２】
また、ＵＥ１６０は、モバイル通信エリア内を移動すると、無線ＬＡＮ通信エリア内に入ることがある。場合によっては、ＵＥ１６０が、無線ＬＡＮ通信エリアを通過するように移動することもある。
【００４３】
続いて、図３を用いて本発明の実施の形態２にかかるｅＮＢ６０の構成例について説明する。ｅＮＢ６０は、Ｓ１ＡＰ通信部６０１、Ｓ１ＡＰ呼処理部６０２、ＲＲＣ（Radio Resource Control）処理部６０３、無線処理部６０４、ＧＴＰ（General Packet Radio Service Tunneling Protocol）−Ｕ（Ｓ１）通信部６０５、ＧＴＰ−Ｕ（Ｓ１）処理部６０６、Ｃｏｎｔｅｘｔ記憶部６０７、ＧＴＰ−Ｕ（Ｘ２）処理部６０８、ＧＴＰ−Ｕ（Ｘ２）通信部６０９、Ｘ２ＡＰ処理部６１０及びＸ２ＡＰ通信部６１１を有している。
【００４４】
ｅＮＢ６０は、プロセッサがメモリに格納されているプログラムを実行することによって動作するコンピュータ装置であってもよい。また、ｅＮＢ６０を構成する各構成要素は、プロセッサがメモリに格納されているプログラムを実行することによって処理が実行されるソフトウェアもしくはモジュールであってもよい。また、ｅＮＢ６０を構成する各構成要素は、回路によって構成されてもよい。
【００４５】
Ｓ１ＡＰ通信部６０１は、ＭＭＥ１２０と通信する際のインタフェースとして用いられる。Ｓ１ＡＰ呼処理部６０２は、Ｃｏｎｔｅｘｔ記憶部６０７に記憶されている情報を用いて、ＭＭＥ１２０との間において呼処理を実行する。
【００４６】
Ｓ１ＡＰ呼処理部６０２は、Ｓ１ＡＰ通信部６０１を介してＭＭＥ１２０との間において呼処理に関するメッセージを送受信する。また、Ｓ１ＡＰ呼処理部６０２は、Ｃｏｎｔｅｘｔ記憶部６０７に記憶されている情報を用いて、呼処理を行うＭＭＥを選択する。
【００４７】
ＲＲＣ（Radio Resource Control）処理部６０３は、ＵＥ１６０との間において用いられるＲＲＣプロトコルに関する処理を実行する。例えば、ＲＲＣ処理部６０３は、ＵＥ１６０との間の接続状態を管理する処理を実行してもよい。無線処理部６０４は、ＵＥ１６０と無線通信する際のインタフェースとして用いられる。
【００４８】
ＧＴＰ−Ｕ（Ｓ１）通信部６０５は、ＳＧＷ１００と通信する際のインタフェースとして用いられる。ＧＴＰ−Ｕ（Ｓ１）処理部６０６は、ＧＴＰ−Ｕ（Ｓ１）通信部６０５を介して、ＳＧＷ１００との間においてユーザデータの送受信を行う。
【００４９】
または、ＧＴＰ−Ｕ（Ｓ１）通信部６０５は、ＭＥＣ９０と通信する際のインタフェースとして用いられ、ＧＴＰ−Ｕ（Ｓ１）処理部６０６は、ＧＴＰ−Ｕ（Ｓ１）通信部６０５を介して、ＭＥＣ９０との間においてユーザデータの送受信を行う。
【００５０】
Ｃｏｎｔｅｘｔ記憶部６０７は、ＭＭＥ１２０から送信されるＵＥ１６０に関する呼処理を行う際に接続すべきＭＭＥの情報等が記憶されている。また、Ｃｏｎｔｅｘｔ記憶部６０７は、ＴＷＡＮ構成装置８０との間においてＸ２コネクションを確立するために必要なＴＷＡＮ構成装置８０への接続情報等を有してもよい。ＴＷＡＮ構成装置８０への接続情報は、例えば、ＴＷＡＮ構成装置８０のＩＰアドレス等であってもよい。
【００５１】
ＧＴＰ−Ｕ（Ｘ２）通信部６０９は、ＴＷＡＮ構成装置８０と通信する際のインタフェースとして用いられる。ＧＴＰ−Ｕ（Ｘ２）処理部６０８は、ＧＴＰ−Ｕ（Ｘ２）通信部６０９を介して、ＴＷＡＮ構成装置８０との間においてユーザデータの送受信を行う。
【００５２】
Ｘ２ＡＰ通信部６１１は、ＴＷＡＮ構成装置８０と通信する際のインタフェースとして用いられる。Ｘ２ＡＰ処理部６１０は、Ｘ２ＡＰ通信部６１１を介して、ＴＷＡＮ構成装置８０との間において制御データの送受信を行う。
【００５３】
続いて、図４を用いて本発明の実施の形態２にかかるＵＥ１６０の構成例について説明する。ＵＥ１６０は、無線ＬＡＮ通信部１６１、無線ＬＡＮ処理部１６２、ＬＴＥ通信部１６３、ＲＲＣ処理部１６４、ＮＡＳ（Non Access Stratum）処理部１６５及びアクセス選択制御部１６６を有している。
【００５４】
無線ＬＡＮ通信部１６１は、ＡＰ７１〜７３のいずれかを介してＴＷＡＮ構成装置８０と通信する際のインタフェースとして用いられる。無線ＬＡＮ処理部１６２は、無線ＬＡＮ通信部１６１を介してＴＷＡＮ構成装置８０との間においてデータの送受信を行う。
【００５５】
ＬＴＥ通信部１６３は、ｅＮＢ６０と通信する際のインタフェースとして用いられる。ＲＲＣ処理部１６４は、ｅＮＢ６０との間においてＲＲＣプロトコルを用いた通信を行う。ＲＲＣ処理部１６４は、ＲＲＣプロトコルを用いた通信を、ＬＴＥ通信部１６３を介して行う。ＮＡＳ処理部１６５は、ＭＭＥ１２０との間の通信において用いられるＮＡＳメッセージに関する処理を行う。ＮＡＳ処理部１６５は、ＬＴＥ通信部１６３を介してｅＮＢ６０へＮＡＳメッセージを送信する。
【００５６】
アクセス選択制御部１６６は、ｅＮＢ６０もしくはＴＷＡＮ構成装置８０から送信される指示メッセージやＬＴＥと無線ＬＡＮの電波強度に応じて、ｅＮＢ６０と通信を行うかもしくはＴＷＡＮ構成装置８０と通信を行うかを選択する。アクセス選択制御部１６６は、ＴＷＡＮ構成装置８０と通信を行うことを選択した場合、無線ＬＡＮ処理部１６２へ通信処理の実行を指示する。アクセス選択制御部１６６は、ｅＮＢ６０と通信を行うことを選択した場合、ＲＲＣ処理部１６４及びＮＡＳ処理部１６５へ通信処理の実行を指示する。
【００５７】
続いて、図５を用いて本発明の実施の形態２にかかるＴＷＡＮ構成装置８０の構成例について説明する。ＴＷＡＮ構成装置８０は、ＴＷＡＧ（Trusted WLAN Access Gateway）７１０及びＴＷＡＰ（Trusted WLAN AAA Proxy）７２０を有している。ＴＷＡＧ７１０及びＴＷＡＰ７２０は異なる装置であってもよく、同一の装置として構成されてもよい。ＴＷＡＧ７１０は、Ｓ２ａ通信部７１１、Ｓ２ａ処理部７１２、Ｃｏｎｔｅｘｔ記憶部７１３、ＧＴＰ−Ｕ（Ｘ２）処理部７１４、ＧＴＰ−Ｕ（Ｘ２）通信部７１５、Ｘ２ＡＰ処理部７１６、Ｘ２ＡＰ通信部７１７、ＡＰ向けＵ−Ｐｌａｎｅ処理部７１８及びＡＰ向けＵ−Ｐｌａｎｅ通信部７１９を有している。
【００５８】
Ｃｏｎｔｅｘｔ記憶部７１３は、ＵＥ１６０に関する通信において、ＴＷＡＧ７１０が接続先として選択するｅＮＢ及びＰＧＷに関する情報を記憶している。
【００５９】
Ｓ２ａ通信部７１１は、ＰＧＷ１１０と通信する際のインタフェースとして用いられる。Ｓ２ａ処理部７１２は、Ｓ２ａ通信部７１１を介してＰＧＷ１１０との間においてユーザデータの送受信を行う。例えば、ＴＷＡＧ７１０は、ｅＮＢ６０を介してＭＥＣ９０を活用したサービスを受けることがない場合、Ｓ２ａ通信部７１１を介してＰＧＷ１１０と通信を行う。
【００６０】
ＧＴＰ−Ｕ（Ｘ２）通信部７１５は、ｅＮＢ６０と通信する際のインタフェースとして用いられる。ＧＴＰ−Ｕ（Ｘ２）処理部７１４は、ＧＴＰ−Ｕ（Ｘ２）通信部７１５を介してｅＮＢ６０との間においてユーザデータの送受信を行う。
【００６１】
Ｘ２ＡＰ通信部７１７は、ｅＮＢ６０と通信する際のインタフェースとして用いられる。Ｘ２ＡＰ処理部７１６は、Ｘ２ＡＰ通信部７１７を介してｅＮＢ６０との間において、データの伝送経路を設定するために、制御データの送受信を行う。
【００６２】
例えば、ＴＷＡＧ７１０は、ｅＮＢ６０を介してＭＥＣ９０を活用したサービスを受ける場合、ＧＴＰ−Ｕ（Ｘ２）通信部７１５及びＸ２ＡＰ通信部７１７を介してｅＮＢ６０と通信を行う。
【００６３】
言い換えると、ＴＷＡＧ７１０は、ＡＰ７１〜７３が形成する無線ＬＡＮ通信エリア内にＵＥ１６０が移動し、ＵＥ１６０がｅＮＢ６０を介してＭＥＣ９０を活用したサービスを受け続ける場合、ＧＴＰ−Ｕ（Ｘ２）通信部７１５及びＸ２ＡＰ通信部７１７を介してｅＮＢ６０と通信を行う。
【００６４】
ＡＰ向けＵ−Ｐｌａｎｅ通信部７１９は、ＡＰ７１〜７３と通信を行うためのインタフェースとして用いられる。ＡＰ向けＵ−Ｐｌａｎｅ処理部７１８は、ＡＰ向けＵ−Ｐｌａｎｅ通信部７１９を介してＡＰ７１〜７３との間においてユーザデータの送受信を行う。
【００６５】
例えば、ＡＰ向けＵ−Ｐｌａｎｅ通信部７１９は、ＡＰ７１を介してＵＥ１６０から送信されたユーザデータを受信する。ＡＰ向けＵ−Ｐｌａｎｅ通信部７１９は、受信したユーザデータをＡＰ向けＵ−Ｐｌａｎｅ処理部７１８へ出力する。
【００６６】
続いて、ＴＷＡＰ７２０の構成例について説明する。ＴＷＡＰ７２０は、ＳＴａ通信部７２１、ＳＴａ処理部７２２、Ｃｏｎｔｅｘｔ記憶部７２３、ＡＰ向けＣ−Ｐｌａｎｅ処理部７２４及びＡＰ向けＣ−Ｐｌａｎｅ通信部７２５を有している。
【００６７】
ＳＴａ通信部７２１は、ＡＡＡ１５０と通信を行うためのインタフェースとして用いられる。ＳＴａ処理部７２２は、ＳＴａ通信部７２１を介してＡＡＡ１５０と、認証処理を行うためのデータを送受信する。
【００６８】
Ｃｏｎｔｅｘｔ記憶部７２３は、ＳＴａ処理部７２２が認証処理を行うＡＡＡ１５０に関する情報を記憶している。また、Ｃｏｎｔｅｘｔ記憶部７２３は、Ｃｏｎｔｅｘｔ記憶部７１３と連携し、ＵＥ１６０に関するデータを伝送するための経路に関する情報等を共有する。
【００６９】
もしくは、Ｃｏｎｔｅｘｔ記憶部７２３は、Ｃｏｎｔｅｘｔ記憶部７１３と連携し、ＡＡＡ１５０において実行されたＵＥ１６０の認証結果に関する情報を共有する。
【００７０】
ＡＰ向けＣ−Ｐｌａｎｅ通信部７２５は、ＡＰ７１〜７３と通信を行うためのインタフェースとして用いられる。ＡＰ向けＣ−Ｐｌａｎｅ処理部７２４は、ＡＰ向けＣ−Ｐｌａｎｅ通信部７２５を介してＡＰ７１〜７３との間において制御データの送受信を行う。
【００７１】
例えば、ＡＰ向けＣ−Ｐｌａｎｅ通信部７２５は、ＡＰ７１を介してＵＥ１６０から送信された認証を行うために必要なデータを受信する。認証を行うために必要なデータは、例えば、ＵＥ１６０の識別情報等であってもよい。ＡＰ向けＣ−Ｐｌａｎｅ処理部７２４は、ＡＰ向けＣ−Ｐｌａｎｅ通信部７２５を介して受信した認証に関するデータをＣｏｎｔｅｘｔ記憶部７２３へ出力する。
【００７２】
また、ＡＰ向けＣ−Ｐｌａｎｅ処理部７２４は、ＡＡＡ１５０において実行されたＵＥ１６０の認証処理の結果に関する情報を、ＡＰ向けＣ−Ｐｌａｎｅ通信部７２５を介してＡＰ７１へ送信する。
【００７３】
続いて、図６及び図７を用いて本発明の実施の形態２にかかるＵＥ１６０のハンドオーバ処理の流れについて説明する。図６及び図７においては、ＵＥ１６０が、モバイル通信エリア内において、ＡＰ７１が形成する無線ＬＡＮ通信エリア外からＡＰ７１が形成する無線ＬＡＮ通信エリア内へ移動する場合の動作について説明する。
【００７４】
はじめに、ｅＮＢ６０は、無線強度の測定を指示するためにＵＥ１６０へ、RRC:Measurement Controlメッセージを送信する（Ｓ１１）。無線強度は、例えば、信号強度、電波強度もしくは電界強度等と称されてもよい。ｅＮＢ６０は、ＵＥ１６０の周囲に位置するｅＮＢがＬＴＥ通信によって送信する無線信号の無線強度とともに、ＡＰが無線ＬＡＮ通信によって送信する無線信号の無線強度についても測定するようにＵＥ１６０に指示する内容をRRC:Measurement Controlメッセージに設定する。
【００７５】
次に、ＵＥ１６０は、ＡＰ７１から送信された無線信号を検出する（Ｓ１２）。次に、ＵＥ１６０は、検出した無線信号の無線強度と基地局もしくはＡＰ７１の識別情報とを関連付けた情報を設定したRRC:Measurement ReportメッセージをｅＮＢ６０へ送信する（Ｓ１３）。例えば、ＵＥ１６０は、ステップＳ１２において検出したＡＰ７１から送信された無線信号の無線強度と、ＡＰ７１が報知するＳＳＩＤ（Service set identification）もしくはＢＳＳＩＤ（Basic service set identification）とをRRC:Measurement Reportメッセージに設定してもよい。
【００７６】
ここで、ＵＥ１６０は、検出した全てのＡＰに関する情報をｅＮＢ６０へ送信しないようにｅＮＢ６０が指定したＡＰに関する情報のみをRRC:Measurement Reportメッセージに設定してもよい。例えば、ｅＮＢ６０は、コネクションを確立することができるＡＰに関する情報を、報知情報等として配信してもよい。ＵＥ１６０は、複数のＡＰに関する無線信号を検出した場合、ｅＮＢ６０から配信された報知情報等において指定されているＡＰのみに関する情報をｅＮＢ６０へ送信してもよい。
【００７７】
言い換えると、ＵＥ１６０は、ステップＳ１２において複数のＡＰを検出した場合に、検出した全てのＡＰに関する情報をｅＮＢ６０へ送信しないように制御されてもよい。例えば、ＵＥ１６０は、ｅＮＢ６０が指定したＡＰに関する情報のみをRRC:Measurement Reportメッセージに設定してもよい。
【００７８】
次に、ｅＮＢ６０は、RRC:Measurement Reportメッセージに設定されている情報に基づいて、ＵＥ１６０をＴＷＡＮ構成装置８０配下のＡＰ７１へハンドオーバさせることを決定する（Ｓ１４）。ここで、ｅＮＢ６０は、ＴＷＡＮ構成装置８０とのコネクションを確立することができる場合に、ＴＷＡＮ構成装置８０へハンドオーバさせることを決定する。言い換えると、ｅＮＢ６０は、ＴＷＡＮ構成装置８０とのコネクションを確立することができない場合、ＵＥ１６０をＴＷＡＮ構成装置８０配下のＡＰ７１へハンドオーバさせなくてもよい。
【００７９】
次に、ｅＮＢ６０は、Ｃｏｎｔｅｘｔ記憶部６０７に記憶されている、ＴＷＡＮ構成装置８０へ接続するために必要な情報に基づいて、ＴＷＡＮ構成装置８０へX2AP:Handover Requestメッセージを送信する（Ｓ１５）。ＵＥ１６０がＴＷＡＮ構成装置８０へ接続する際に、ＴＷＡＮ構成装置８０は、ｅＮＢ６０との間に設定するＸ２コネクションとＵＥ１６０とが対応しているかを判定する必要がある。そのため、ｅＮＢ６０は、ＵＥ１６０のハンドオーバに起因して設定するＸ２コネクションの識別情報をX2AP:Handover Requestメッセージに設定する。ＴＷＡＮ構成装置８０とｅＮＢ６０との間のインタフェースは、３ＧＰＰにおいてＸ２インタフェースとして規定されている。Ｘ２コネクションの識別情報は、ＴＷＡＮ構成装置８０とｅＮＢ６０との間において、Ｘ２インタフェースを介して設定された経路情報であってもよい。
【００８０】
さらに、ｅＮＢ６０は、ＴＷＡＮ構成装置８０がｅＮＢ６０へデータを送信する際に指定するｅＮＢ６０のＴＥＩＤ（Tunnel Endpoint Identifier）（以下、eNB UL TEIDと称する）をX2AP:Handover Requestメッセージに設定する。
【００８１】
さらに、ｅＮＢ６０は、例えば、暗号化もしくは復号化等に用いる鍵情報を生成するためのセキュリティ情報をX2AP:Handover Requestメッセージに設定する。セキュリティ情報は、例えば、X2AP:Handover Requestメッセージ内のAS Security Informationに含まれていてもよい。
【００８２】
ＴＷＡＮ構成装置８０は、ｅＮＢ６０から送信されたセキュリティ情報を用いてIEEE802.1xに規定されている秘匿処理を行ってもよく、セキュリティ情報を用いることなくIEEE802.1xに規定されている秘匿処理を行ってもよい。また、ＴＷＡＮ構成装置８０は、ＵＥ１６０が、モバイル通信エリア内であって、無線ＬＡＮ通信エリア外へ移動した場合、X2AP:Handover Requestメッセージに設定されていたセキュリティ情報をｅＮＢ６０へ送信する。
【００８３】
次に、ＴＷＡＮ構成装置８０は、X2AP:Handover Requestメッセージに対する応答として、X2AP:Handover Request AckメッセージをｅＮＢ６０へ送信する（Ｓ１６）。ＴＷＡＮ構成装置８０は、ｅＮＢ６０がＴＷＡＮ構成装置８０へデータを送信する際に指定するＴＷＡＮ構成装置８０のＴＥＩＤ（以下、TWAN DL TEIDと称する）をX2AP:Handover Request Ackメッセージに設定する。ＴＷＡＮ構成装置８０がX2AP:Handover Request AckメッセージをｅＮＢ６０へ送信することによって、ＴＷＡＮ構成装置８０とｅＮＢ６０との間にＸ２コネクションが確立する。
【００８４】
次に、ｅＮＢ６０は、ＴＷＡＮ構成装置８０が管理するＡＰ７１への接続を開始することを指示するために、RRC:Handover IndicationメッセージをＵＥ１６０へ送信する（Ｓ１７）。ｅＮＢ６０は、Ｘ２コネクションの識別情報をRRC:Handover Indicationメッセージに設定してもよい。
【００８５】
続いて、図７に移り、ＵＥ１６０は、ＴＷＡＮ構成装置８０との間において接続処理（Non-3GPP Access）を開始する（Ｓ１８）。次に、ＵＥ１６０と、ＴＷＡＮ構成装置８０との間、ＴＷＡＮ構成装置８０とＡＡＡ１５０との間、さらに、ＡＡＡ１５０とＨＳＳ１３０との間において、認証処理が実行される（Ｓ１９）。
【００８６】
次に、ＵＥ１６０は、ＴＷＡＮ構成装置８０との間において、Ａｔｔａｃｈ処理（Attach trigger）を開始する（Ｓ２０）。ＵＥ１６０は、モバイル通信エリアから、ＡＰ７１が形成する無線ＬＡＮ通信エリア内へ移動したことを示すために、ステップＳ１７のRRC:Handover Indicationメッセージにおいて取得したＸ２コネクションの識別情報をステップＳ１８〜Ｓ２０の間に、ＴＷＡＮ構成装置８０へ送信してもよい。
【００８７】
例えば、ＵＥ１６０は、ステップＳ１９における認証処理時に送信するEAP（Extensible Authentication Protocol） payloadにＸ２コネクションの識別情報を設定してもよい。もしくは、ステップＳ１８〜Ｓ２０の間に、ＵＥ１６０が、ＩＰアドレス取得のために送信するＤＨＣＰ（Dynamic Host Configuration Protocol）メッセージにＸ２コネクションの識別情報を設定してもよい。
【００８８】
次に、ＴＷＡＮ構成装置８０は、ＵＥ１６０が、ｅＮＢ６０によって形成されるモバイル通信エリアからＡＰ７１が形成する無線ＬＡＮ通信エリアへ移動してきたと判定した場合、ｅＮＢ６０へX2AP:UE IP address Requestメッセージを送信する（Ｓ２１）。
【００８９】
ＴＷＡＮ構成装置８０は、ＲＡＴ（Radio Access Technology） Ｔｙｐｅとして無線ＬＡＮを示す情報、さらに、ＳＳＩＤ及びＢＳＳＩＤをX2AP:UE IP address Requestメッセージに設定する。また、ＴＷＡＮ構成装置８０は、ＥＣＧＩ（E-UTRAN Cell Global ID）を応用して、ＲＡＴ Ｔｙｐｅとして無線ＬＡＮを示す情報を設定してもよい。ＥＣＧＩは、ＰＬＭＮ（Public Land Mobile Network） ＩＤ及びＥＣＩ（E-UTRAN Cell Identity）とから構成される。さらに、ＥＣＩは、ｅＮＢ ＩＤ及びＣｅｌｌ ＩＤとから構成される。
【００９０】
言い換えると、ＴＷＡＮ構成装置８０は、ＥＣＧＩ（E-UTRAN Cell Global ID）を利用して、ＲＡＴ Ｔｙｐｅとして無線ＬＡＮを示す情報を設定してもよい。
【００９１】
次に、ｅＮＢ６０は、ＭＭＥ１２０へ、S1AP:UE IP address Requestメッセージを送信する（Ｓ２２）。ｅＮＢ６０は、ＲＡＴ Ｔｙｐｅとして無線ＬＡＮを示す情報、さらに、ＳＳＩＤ及びＢＳＳＩＤをS1AP:UE IP address Requestメッセージに設定する。また、ｅＮＢ６０は、ＥＣＧＩを応用して、ＲＡＴ Ｔｙｐｅとして無線ＬＡＮを示す情報を設定してもよい。
【００９２】
言い換えると、ｅＮＢ６０は、ＥＣＧＩを利用して、ＲＡＴ Ｔｙｐｅとして無線ＬＡＮを示す情報を設定してもよい。
【００９３】
次に、ＭＭＥ１２０は、ＳＧＷ１００へ、GTP-C:Modify Bearer Requestメッセージを送信し、さらに、ＳＧＷ１００は、ＰＧＷ１１０へ、GTP-C:Modify Bearer Requestメッセージを送信する（Ｓ２３）。
【００９４】
ＭＭＥ１２０及びＳＧＷ１００は、ＲＡＴ Ｔｙｐｅとして無線ＬＡＮを示す情報、さらに、ＳＳＩＤ及びＢＳＳＩＤをGTP-C:Modify Bearer Requestメッセージに設定する。また、ＭＭＥ１２０及びＳＧＷ１００は、ＵＬＩ（User Location Information） ＩＥを利用もしくは拡張して、ＲＡＴ Ｔｙｐｅ、ＳＳＩＤ及びＢＳＳＩＤを設定してもよい。
【００９５】
次に、ＰＧＷ１１０は、Diameter:RAR（Re-Authentication Request）メッセージをＰＣＲＦ１４０へ送信する（Ｓ２４）。ＲＡＴ Ｔｙｐｅが無線ＬＡＮへ変更されたことに伴い、ポリシーもしくは課金ルール等を変更する場合に、ＰＧＷ１１０は、Diameter RARメッセージをＰＣＲＦ１４０へ送信する。そのため、ＲＡＴ Ｔｙｐｅが無線ＬＡＮへ変更されたことに伴い、ポリシーもしくは課金ルール等を変更する必要がない場合には、ＰＧＷ１１０は、Diameter:RARメッセージをＰＣＲＦ１４０へ送信しなくてもよい。
【００９６】
次に、ＰＣＲＦ１４０は、Diameter:RARメッセージへの応答としてDiameter:RAA（Re-Authentication Answer）メッセージをＰＧＷ１１０へ送信する（Ｓ２５）。次に、ＰＧＷ１１０及びＳＧＷ１００は、GTP-C:Modify Bearer Requestメッセージへの応答としてGTP-C:Modify Bearer ResponseメッセージをＳＧＷ１００及びＭＭＥ１２０へ送信する（Ｓ２６）。
【００９７】
GTP-C:Modify Bearer Responseメッセージには、ＰＡＡ（PDN Address Allocation） ＩＥにＵＥ１６０に割り当てられるＩＰアドレスが設定されている。ＵＥ１６０に割り当てられるＩＰアドレスは、ＵＥ１６０が、ｅＮＢ６０が形成するモバイル通信エリア内であって、無線ＬＡＮ通信エリア外において、ｅＮＢ６０と通信する際に用いていたＩＰアドレスと同じである。
【００９８】
次に、ＭＭＥ１２０は、S1AP:UE IP address Requestメッセージへの応答としてS1AP:UE IP address ResponseメッセージをｅＮＢ６０へ送信する（Ｓ２７）。ＭＭＥ１２０は、GTP-C:Modify Bearer Responseメッセージに設定されたＵＥ１６０のＩＰアドレスをS1AP:UE IP address Responseメッセージに設定する。
【００９９】
次に、ｅＮＢ６０は、X2AP: UE IP address Requestメッセージへの応答としてX2AP: UE IP address Request AckメッセージをＴＷＡＮ構成装置８０へ送信する（Ｓ２８）。ｅＮＢ６０は、S1AP: UE IP address Responseメッセージに設定されたＵＥ１６０のＩＰアドレスをX2AP： UE IP address Request Ackメッセージに設定する。ＴＷＡＮ構成装置８０は、X2AP: UE IP address Request Ackメッセージを受信するとＵＥ１６０との間におけるＡｔｔａｃｈ処理を完了するための処理を実行する（Attach completion）（Ｓ２９）。ｅＮＢ６０は、Ａｔｔａｃｈ処理を完了する際に、ＵＥ１６０へ、ＵＥ１６０に割り当てられたＩＰアドレスを通知する。
【０１００】
以上説明したように、本発明の実施の形態２にかかる通信システムを用いることによって、ＵＥ１６０が、ｅＮＢ６０によって形成されるモバイル通信エリアからＡＰ７１が形成する無線ＬＡＮ通信エリアへハンドオーバした際に、ｅＮＢ６０とＴＷＡＮ構成装置８０との間にデータ伝送経路が設定される。そのため、ＵＥ１６０は、無線ＬＡＮ通信エリアへハンドオーバした後においても、ｅＮＢ６０と通信を継続することができる。そのため、ＵＥ１６０は、ｅＮＢ６０を介してＭＥＣ９０が提供するサービスを継続して受けることができる。
【０１０１】
また、図７においては、ＵＥ１６０が無線ＬＡＮ通信エリアにて使用するＩＰアドレスとして、ＵＥ１６０がモバイル通信エリアにて使用していたＩＰアドレスをＰＧＷ１１０が払い出す処理について説明した。これ以外に、例えば、ＩＰアドレスは、ＨＳＳによって払い出されてもよい。さらに、ＴＷＡＮ構成装置８０は、ＵＥ１６０から、モバイル通信エリアにて使用していたＩＰアドレスに関する情報を受信してもよく、ｅＮＢ６０からＵＥ１６０がモバイル通信エリアにて使用していたＩＰアドレスに関する情報を受信してもよい。
【０１０２】
さらに、図６において、ステップＳ１４の後に、ｅＮＢ６０は、ＴＷＡＮ構成装置８０を自律的に探索してもよい。つまり、ｅＮＢ６０は、事前にＴＷＡＮ構成装置８０と接続するために必要な情報を保持していない場合、ＴＷＡＮ構成装置８０を自律的に探索する。例えば、ＭＭＥ１２０とＴＷＡＮ構成装置８０との間に新たなインタフェースを定義し、ｅＮＢ６０は、新たに定義されたインタフェースを経由して、ＴＷＡＮ構成装置８０へ接続するために必要な情報、例えば、ＩＰアドレス等を取得してもよい。もしくは、ＨＳＳ１３０が、ＴＷＡＮ構成装置８０へ接続するために必要な情報を保持しておき、ｅＮＢ６０は、ＨＳＳ１３０からＴＷＡＮ構成装置８０へ接続するために必要な情報を取得してもよい。
【０１０３】
（実施の形態３）
続いて、図８を用いて本発明の実施の形態３にかかるＵＥ１６０のハンドオーバ処理の流れについて説明する。
【０１０４】
本図においては、ＵＥ１６０が、モバイル通信エリア内において、ＡＰ７１が形成する無線ＬＡＮ通信エリア外からＡＰ７１が形成する無線ＬＡＮ通信エリア内へ移動する場合の動作について説明する。
【０１０５】
はじめに、ＵＥ１６０は、ＡＰから送信された無線信号を検出する（Ｓ３１）。次に、ＵＥ１６０は、図６のステップＳ１７においてｅＮＢ６０から送信されたRRC:Handover Indicationメッセージのようなハンドオーバに関連するメッセージを受信することなく、ステップＳ３２〜Ｓ３４におけるＴＷＡＮ構成装置８０への接続処理を行う。図８のステップＳ３２〜Ｓ３４は、図７のステップＳ１８〜Ｓ２０と同様であるため詳細な説明を省略する。
【０１０６】
次に、ＴＷＡＮ構成装置８０は、ＵＥ１６０をＴＷＡＮ構成装置８０配下のＡＰへハンドオーバさせることを決定する（Ｓ３５）。ここで、ＴＷＡＮ構成装置８０は、ｅＮＢ６０との間にコネクションを設定することができない場合、ＵＥ１６０との間の接続を解除し、ＵＥ１６０との接続を拒否してもよい。言い換えると、ＴＷＡＮ構成装置８０は、ｅＮＢ６０との間にコネクションを設定することができない場合、ＵＥ１６０の接続先をｅＮＢ６０へ切り戻すようにしてもよい。もしくは、ＴＷＡＮ構成装置８０は、ｅＮＢ６０との間にコネクションを設定することができない場合、ＰＧＷ１１０との間にコネクションを設定してもよい。
【０１０７】
次に、ＴＷＡＮ構成装置８０は、図７のステップＳ２１と同様にｅＮＢ６０へX2AP:UE IP address Requestメッセージを送信する（Ｓ３６）。ステップＳ３７及びＳ３８は、図６のステップＳ１５及びＳ１６と同様であるため詳細な説明を省略する。さらに、ステップＳ３８以降は、図７のステップＳ２２〜Ｓ２９の処理が実行される。図８においては、ステップＳ３８以降の処理については記載を省略する。
【０１０８】
以上説明したように、本発明の実施の形態３にかかる通信システムを用いることによって、ＴＷＡＮ構成装置８０がＵＥ１６０のハンドオーバ実行を決定することができる。これより、実施の形態３に係る通信システムは、実施の形態２と同様にｅＮＢ６０とＴＷＡＮ構成装置８０との間にデータ伝送経路を設定することができる。
【０１０９】
さらに、ハンドオーバの実行をＴＷＡＮ構成装置８０が決定することによって、実施の形態２と比較してｅＮＢ６０における処理負担が軽減する。
【０１１０】
さらに、図８において、ステップＳ３５の後に、ＴＷＡＮ構成装置８０は、ｅＮＢ６０を自律的に探索してもよい。つまり、ＴＷＡＮ構成装置８０は、事前にｅＮＢ６０と接続するために必要な情報を保持していない場合、ｅＮＢ６０を自律的に探索する。例えば、ＭＭＥ１２０とＴＷＡＮ構成装置８０との間に新たなインタフェースを定義し、ＴＷＡＮ構成装置８０は、新たに定義されたインタフェースを経由して、ｅＮＢ６０へ接続するために必要な情報、例えば、ｅＮＢ６０のＩＰアドレス等を取得してもよい。もしくは、ＨＳＳ１３０が、ｅＮＢ６０へ接続するために必要な情報を保持しておき、ＴＷＡＮ構成装置８０は、ＨＳＳ１３０からｅＮＢ６０へ接続するために必要な情報を取得してもよい。
【０１１１】
（実施の形態４）
続いて、図９を用いて本発明の実施の形態４にかかるＵＥ１６０のハンドオーバ処理の流れについて説明する。図９のハンドオーバ処理は、ＵＥ１６０が、モバイル通信エリア内の移動であって、ＡＰ７１が形成する無線ＬＡＮ通信エリア内からＡＰ７１が形成する無線ＬＡＮ通信エリア外へ移動する場合の処理の流れについて説明する。また、図９においては、ＵＥ１６０とｅＮＢ６０との間のＲＲＣコネクションが解放されていることを前提とする。
【０１１２】
具体的には、図９においては、ＵＥ１６０がＡＰ７１によって形成される無線ＬＡＮ通信エリア内に移動した際に、ＵＥ１６０とｅＮＢ６０との間のＲＲＣコネクションが解放されていることを前提とする。
【０１１３】
ＵＥ１６０は、ＴＷＡＮ構成装置８０から送信される無線信号の強度が予め定められた閾値よりも低下し、ｅＮＢ６０から送信される信号の強度が予め定められた閾値よりも増加した場合に、ｅＮＢ６０へRRC:RRC Connection Requestメッセージを送信する（Ｓ４１）。
【０１１４】
次に、ｅＮＢ６０は、ＵＥ１６０をｅＮＢ６０へ接続させるために、ＴＷＡＮ構成装置８０へX2AP:UE IP address Requestメッセージを送信する（Ｓ４２）。次に、ＴＷＡＮ構成装置８０は、X2AP: UE IP address Requestメッセージへの応答としてX2AP: UE IP address Request ackメッセージをｅＮＢ６０へ送信する（Ｓ４３）。ここで、ＴＷＡＮ構成装置８０は、ＵＥ１６０がＴＷＡＮ構成装置８０へハンドオーバした際に、ｅＮＢ６０からセキュリティ情報を受信している場合、受信したセキュリティ情報をX2AP: UE IP address Request ackメッセージに設定してもよい。次に、ｅＮＢ６０は、ＵＥ１６０の接続先をＴＷＡＮ構成装置８０からｅＮＢ６０へ切り替えることを決定する（Ｓ４４）。
【０１１５】
次に、ｅＮＢ６０は、ＵＥ１６０との間にＲＲＣコネクションを設定するために、RRC:RRC Connection SetupメッセージをＵＥ１６０へ送信する（Ｓ４５）。次に、ＵＥ１６０は、RRC:RRC Connection Setupメッセージに対する応答として、RRC:RRC Connection Setup CompleteメッセージをｅＮＢ６０へ送信する（Ｓ４６）。
【０１１６】
ステップＳ４６以降は、図７のステップＳ２２〜Ｓ２９の処理が実行される。図９においては、ステップＳ４６以降の処理については記載を省略する。
【０１１７】
以上説明したように、本発明の実施の形態４にかかる通信システムを用いることによって、ＵＥ１６０は、ＴＷＡＮ構成装置８０からｅＮＢ６０へハンドオーバすることができる。これによって、ＵＥ１６０は、ＴＷＡＮ構成装置８０を介してＭＥＣ９０から受けていたサービスを、ハンドオーバ後もｅＮＢ６０を介して受けることができる。
【０１１８】
（実施の形態５）
続いて、図１０を用いて本発明の実施の形態５にかかるＵＥ１６０のハンドオーバ処理の流れについて説明する。図１０のハンドオーバ処理は、ＵＥ１６０が、モバイル通信エリア内の移動であって、ＡＰ７１が形成する無線ＬＡＮ通信エリア内からＡＰ７１が形成する無線ＬＡＮ通信エリア外へ移動する場合の処理の流れについて説明する。また、図１０においては、ＵＥ１６０とｅＮＢ６０との間のＲＲＣコネクションが維持されていることを前提とする。
【０１１９】
具体的には、図１０においては、ＵＥ１６０がＡＰ７１によって形成される無線ＬＡＮ通信エリア内に移動しても、ＵＥ１６０とｅＮＢ６０との間のＲＲＣコネクションが維持されていることを前提とする。
【０１２０】
ＵＥ１６０は、ＴＷＡＮ構成装置８０から送信される無線信号の強度が予め定められた閾値よりも低下し、ｅＮＢ６０から送信される信号の強度が予め定められた閾値よりも増加した場合に、ｅＮＢ６０へＲＲＣプロトコルを用いた任意のＲｅｑｕｅｓｔメッセージを送信する（Ｓ５１）。例えば、ＵＥ１６０は、ｅＮＢ６０へRRC:Measurement Reportsメッセージを送信してもよい。
【０１２１】
次に、ｅＮＢ６０は、ＵＥ１６０の接続先をＴＷＡＮ構成装置８０からｅＮＢ６０へ切り替えることを決定する（Ｓ５２）。ステップＳ５２以降は、図７のステップＳ２２〜Ｓ２９の処理が実行される。図１０においては、ステップＳ５２以降の処理については記載を省略する。また、図９においては、RRC:RRC Connection Setupメッセージ及びRRC:RRC Connection Setup Completeメッセージが送受信されていたが、図１０においては、ＵＥ１６０とｅＮＢ６０との間のＲＲＣコネクションが維持されているため、RRC:RRC Connection Setupメッセージ及びRRC:RRC Connection Setup Completeメッセージの送受信は不要となる。
【０１２２】
次に、図１１を用いて本発明の実施の形態５にかかるＵＥ１６０のハンドオーバ処理の流れについて、図１０と異なる処理の流れについて説明する。図１１においては、図１０と異なり、ＴＷＡＮ構成装置８０が、ｅＮＢ６０における切替処理のトリガーとなる信号をｅＮＢ６０へ送信する。
【０１２３】
はじめに、ＴＷＡＮ構成装置８０は、ＵＥ１６０が無線ＬＡＮ通信エリア外へ移動したことによって、ＡＰ７１とＵＥ１６０との間のコネクションが切断されたことを検出する（Ｓ６１）。次に、ＴＷＡＮ構成装置８０は、ＡＰ７１とＵＥ１６０との間のコネクションが切断されたことを検出すると、X2AP:IndicationメッセージをｅＮＢ６０へ送信する（Ｓ６２）。次に、ｅＮＢ６０は、ＵＥ１６０の接続先をＴＷＡＮ構成装置８０からｅＮＢ６０へ切り替えることを決定する（Ｓ６３）。ステップＳ６３以降は、図７のステップＳ２２〜Ｓ２９の処理が実行される。図１１においては、ステップＳ６３以降の処理については記載を省略する。
【０１２４】
以上説明したように、本発明の実施の形態５にかかる通信システムを用いることによって、ＵＥ１６０は、ＴＷＡＮ構成装置８０からｅＮＢ６０へハンドオーバすることができる。これによって、ＵＥ１６０は、ＴＷＡＮ構成装置８０を介してＭＥＣ９０から受けていたサービスを、ハンドオーバ後もｅＮＢ６０を介して受けることができる。また、図１０及び図１１における処理は、ＵＥ１６０とｅＮＢ６０との間に維持されているＲＲＣコネクションを利用して通信を行うため、図９における処理と比較して、信号数を減少させることができる。
【０１２５】
上述の実施の形態では、本発明をハードウェアの構成として説明したが、本発明は、これに限定されるものではない。本発明は、通信端末（例えばＵＥ）、基地局１０（例えばｅＮＢ）及びアクセスポイント管理装置３０（例えばＴＷＡＮ構成装置）における処理を、ＣＰＵ（Central Processing Unit）にコンピュータプログラムを実行させることにより実現することも可能である。
【０１２６】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２７】
なお、本発明は上記実施の形態に限られたものではなく、趣旨を逸脱しない範囲で適宜変更することが可能である。
【０１２８】
以上、実施の形態を参照して本願発明を説明したが、本願発明は上記によって限定されるものではない。本願発明の構成や詳細には、発明のスコープ内で当業者が理解し得る様々な変更をすることができる。
【０１２９】
この出願は、２０１５年３月１７日に出願された日本出願特願２０１５−０５３０５２及び２０１５年５月２８日に出願された日本出願特願２０１５−１０８４５６を基礎とする優先権を主張し、その開示の全てをここに取り込む。
【符号の説明】
【０１３０】
１０  基地局
２０  アクセスポイント
３０  アクセスポイント管理装置
４０  アプリケーションサーバ
４５  サービスネットワーク
５０  通信端末
６０  ｅＮＢ
７１  ＡＰ
７２  ＡＰ
７３  ＡＰ
８０  ＴＷＡＮ構成装置
９０  ＭＥＣ
１００  ＳＧＷ
１１０  ＰＧＷ
１２０  ＭＭＥ
１３０  ＨＳＳ
１４０  ＰＣＲＦ
１５０  ＡＡＡ
１６０  ＵＥ
１６１  無線ＬＡＮ通信部
１６２  無線ＬＡＮ処理部
１６３  ＬＴＥ通信部
１６４  ＲＲＣ処理部
１６５  ＮＡＳ処理部
１６６  アクセス選択制御部
１７０  ＰＤＮ
６０１  Ｓ１ＡＰ通信部
６０２  Ｓ１ＡＰ呼処理部
６０３  ＲＲＣ処理部
６０４  無線処理部
６０５  ＧＴＰ−Ｕ（Ｓ１）通信部
６０６  ＧＴＰ−Ｕ（Ｓ１）処理部
６０７  Ｃｏｎｔｅｘｔ記憶部
６０８  ＧＴＰ−Ｕ（Ｘ２）処理部
６０９  ＧＴＰ−Ｕ（Ｘ２）通信部
６１０  Ｘ２ＡＰ処理部
６１１  Ｘ２ＡＰ通信部
７１０  ＴＷＡＧ
７１１  Ｓ２ａ通信部
７１２  Ｓ２ａ処理部
７１３  Ｃｏｎｔｅｘｔ記憶部
７１４  ＧＴＰ−Ｕ（Ｘ２）処理部
７１５  ＧＴＰ−Ｕ（Ｘ２）通信部
７１６  Ｘ２ＡＰ処理部
７１７  Ｘ２ＡＰ通信部
７１８  ＡＰ向けＵ−Ｐｌａｎｅ処理部
７１９  ＡＰ向けＵ−Ｐｌａｎｅ通信部
７２０  ＴＷＡＰ
７２１  ＳＴａ通信部
７２２  ＳＴａ処理部
７２３  Ｃｏｎｔｅｘｔ記憶部
７２４  ＡＰ向けＣ−Ｐｌａｎｅ処理部
７２５  ＡＰ向けＣ−Ｐｌａｎｅ通信部
【図１】
2016147628.tif 000003
【図２】
2016147628.tif 000004
【図３】
2016147628.tif 000005
【図４】
2016147628.tif 000006
【図５】
2016147628.tif 000007
【図６】
2016147628.tif 000008
【図７】
2016147628.tif 000009
【図８】
2016147628.tif 000010
【図９】
2016147628.tif 000011
【図１０】
2016147628.tif 000012
【図１１】
2016147628.tif 000013
【図１２】
2016147628.tif 000014
【国際調査報告】
2016147628.tif 000015
2016147628.tif 000016
2016147628.tif 000017